(57)【要約】【課題】洗浄したい物品の大きさや量に応じて、濃縮洗剤の使用量を容易にかつ適切にコントロールできる洗剤含有シートを提供すること。【解決手段】コロイド状または液体の濃縮洗剤２０と、吸湿性に優れた材質で構成されたシート状キャリア１０を含み、シート状キャリア１０は単位面積ごとに濃縮洗剤２０を均一かつ一定量その内部に保持し、シート状キャリア１０の表面に、シート状キャリア１０内に含まれる濃縮洗剤２０の量を示す剤量表示線１１が設けられている。【選択図】図１
0003181791.tif 000002
【実用新案登録請求の範囲】
【請求項１】
洗剤含有シートであって、コロイド状または液体の濃縮洗剤と、吸湿性に優れた材質で構成されたシート状キャリアを含み、前記シート状キャリアは単位面積ごとに前記濃縮洗剤を均一かつ一定量その内部に保持し、前記シート状キャリアの表面に、前記シート状キャリア内に含まれる前記濃縮洗剤の量を示す剤量表示線が設けられたことを特徴とする、洗剤含有シート。
【請求項２】
前記剤量表示線が切断ガイド線であることを特徴とする、請求項１に記載の洗剤含有シート。
【請求項３】
前記剤量表示線が切り取り線であることを特徴とする、請求項１に記載の洗剤含有シート。
【請求項４】
前記シート状キャリアが、不織布、スパンレース不織布またはレーヨン布のいずれかであることを特徴とする、請求項１に記載の洗剤含有シート。
【請求項５】
前記濃縮洗剤が、ノニオン界面活性剤、アニオン界面活性剤またはカチオン界面活性剤のいずれかの剤型であることを特徴とする、請求項１に記載の洗剤含有シート。
【考案の詳細な説明】
【技術分野】
【０００１】
本考案は、使用者がきれいにしたい物品の大きさや量に基づいた適切な大きさまたは量を簡易に選択でき、濃縮洗剤の使用量を効果的にコントロールできる洗剤含有シートに関する。
【背景技術】
【０００２】
一般的に使用されている洗剤は、ほとんどが液状、粉状、固体の形式で販売されている。
特に、液状洗剤は水に溶けやすいため、消費者に好まれており、一般の消費者は使用時にボトルのキャップを測定器具として、洗う必要がある衣料の量に合わせ、必要な洗剤の量をキャップ１杯、キャップ２分の１、キャップ３分の１、キャップ４分の１等の単位でコントロールしている。
【０００３】
しかしながら、省エネと二酸化炭素削減にこだわり、かつ土地に限りがある都市地域では、液状洗剤は理想的ではない。これは、液状洗剤の包装方式が重量の増加を招きやすく、商品の配送過程と消費者の購買において、製品が重過ぎると運送の過程でもより多くの二酸化炭素排出につながるだけでなく、液体洗剤の使用時も、使用者が必要な洗剤の量をコントロールしにくいため、往々にして使用する洗剤の量が多すぎ、洗剤の化学成分が衣料の表面に残留し、間接的に人体の健康を害することがある。このほか、液体洗剤のボトルも廃棄時に発生するごみの量が非常に多くなることにつながる。
【考案の概要】
【考案が解決しようとする課題】
【０００４】
本考案が解決しようとする課題は、洗浄したい物品の大きさや量に応じて、濃縮洗剤の使用量を容易にかつ適切にコントロールできる洗剤含有シートを提供することにある。
【課題を解決するための手段】
【０００５】
本考案の洗剤含有シートは、コロイド状または液体の濃縮洗剤と、吸湿性に優れた材質で構成されたシート状キャリアを含み、前記シート状キャリアは単位面積ごとに前記濃縮洗剤を均一かつ一定量その内部に保持し、前記シート状キャリアの表面に、前記シート状キャリア内に含まれる前記濃縮洗剤の量を示す剤量表示線が設けられている。
【０００６】
前記剤量表示線は、切断ガイド線であっても、切り取り線であってもよい。
前記シート状キャリアは、不織布、スパンレース不織布またはレーヨン布のいずれかとすることができる。
前記濃縮洗剤は、ノニオン界面活性剤、アニオン界面活性剤またはカチオン界面活性剤のいずれかの剤型であってもよい。
【考案の効果】
【０００７】
本考案の洗剤含有シートによれば、シート状キャリアの各単位面積ごとに濃縮洗剤を一定量吸収させてあるので、使用者が洗浄したい物品の大きさと量に応じてシート状キャリアの面積を選択することにより、濃縮洗剤の使用量を適切にコントロールすることができ、洗剤を必要以上使用することにより環境を汚染したり、洗濯後の衣服に洗剤が多量に残存して健康に害を及ぼすのを防止することが可能である。
また、液密性の高い重い容器を必要とせずに容易に搬送でき、ごみの発生量を削減できる。
【図面の簡単な説明】
【０００８】
【図１】本考案の実施例を示す洗剤含有シートの斜視図である。
【図２】本考案の実施例を示す洗剤含有シートの包装状態における断面図である。
【考案を実施するための形態】
【０００９】
以下、本考案の実施例を図面に基づいて詳細に説明する。図１は、本実施例の洗剤含有シートの斜視図であり、図２は、本実施例の洗剤含有シートを包装した状態で示す断面図である。
これらの図に示すように、本考案の洗剤含有シートは、濃縮洗剤２０と、シート状キャリア１０を含んで構成される。
【００１０】
濃縮洗剤２０はコロイド状または液体である。また、濃縮洗剤２０はノニオン界面活性剤、アニオン界面活性剤またはカチオン界面活性剤のいずれかの剤型とすることができる。
シート状キャリア１０は吸湿性に優れた材質から構成され、かつ毛細管現象を利用して、濃縮洗剤２０を各単位面積当たりの含有量が一定量となるようシート状キャリア１０内部に保持させる。
また、シート状キャリア１０の表面に剤量表示線１１が設けられ、洗剤の量の選択に用いることができる。剤量表示線は切断ガイド線または切り取り線である。
【００１１】
なお、シート状キャリア１０の材質と構造は、特に限定されるものではないが、その材質は吸湿性に優れている必要があり、一般の不織布、スパンレース不織布またはレーヨン布を用いることができる。
本実施例において、シート状キャリア１０にはスパンレース不織布を採用している。この布は主に超高圧水流絡合法によるスパンレース繊維から構成され、その表面に比較的均一な毛細管現象が発生し、濃縮洗剤２０を均一にシート状キャリア１０内部に保持する。このように、シート状キャリア１０の各単位面積ごとに濃縮洗剤２０が一定量吸収されているので、使用者はシート状キャリア１０の面積の大きさを選択することにより、水中に投入する濃縮洗剤２０の量をコントロールすることができる。
【００１２】
本考案の洗剤含有シートは洗濯または食器洗い等の洗浄用途に使用でき、使用者はシート状キャリア１０に含有される濃縮洗剤２０により泡立ちを発生させ、洗浄作業を行うことができる。
本考案の洗剤含有シートを食器洗いに使用する場合、濃縮洗剤２０は濃縮した食器用洗剤とし、本考案の洗剤含有シートを洗濯に使用する場合、濃縮洗剤２０は、濃縮した衣料用洗剤、例えば起泡剤(Ｆｏａｍ  ｂｅａｔｅｒ)、界面活性剤(Ｓｕｒｆａｃｔａｎｔ)を含む、頑固な汚れ落とし用の洗剤等とする。
【００１３】
また、本考案の洗剤含有シートを包装・販売するときは、剛性を備えた包装容器または軟性包装容器３０の中に、濃縮洗剤２０を吸収させた複数枚のシート状キャリア１０を入れる（図２参照）ことができるが、本考案は特にこれに限定されず、濃縮洗剤２０の外部への漏れ出しや染み出しを効果的に防止できる包装方法であればよい。
包装容器内に入れた複数のシート状キャリア１０は相互に重ね合わせて、シート状キャリア１０を引き出す方式で１枚ずつ取り出せるようにしてもよく、取り出して水中に投入し、泡立たせて洗浄を行い、濃縮洗剤２０の定量使用を行なうことができる。
【００１４】
かつ、シート状キャリア１０の表面に表示された剤量表示線１１を利用して、使用者が洗浄する物品の体積や数量に応じて水中に入れる濃縮洗剤２０の量を微調整することができる。
例えば、１枚のシート状キャリア１０の濃縮洗剤２０はあらかじめ５０／３０／２５／２０リットルの水に使用する洗剤の量に設定し、使用者が本考案の洗剤含有シートを購入するとき、自宅の洗濯機の最大容量に基づいて洗剤の量の多寡を選択することで、衣料を洗濯するとき１枚のシート状キャリア１０を取り出して洗濯機の中に投入すればよい。本来の洗濯機の１／２の容量の衣料のみを洗濯する必要があるとき、使用者はシート状キャリア１０上に設けた剤量表示線１１に沿って直接シート状キャリア１０を１／２に裂き、１／２のシート状キャリア１０を洗濯機の中に投入することで、簡単に濃縮洗剤２０の量をコントロールすることができる。
【００１５】
上述した実施例は本考案の権利範囲を限定するものではなく、実用新案登録請求の範囲を逸脱しない同等効果のある変化や置換は、いずれも本考案の権利範囲に含まれる。
【符号の説明】
【００１６】
１０  シート状キャリア
１１  剤量表示線
２０  濃縮洗剤
３０  包装容器
【図１】
0003181791.tif 000003
【図２】
0003181791.tif 000004